(57)【特許請求の範囲】
【請求項１】
ノブ（１）の操作面（１ｄ）を上面から突出した状態に配設するノブ設置孔（２ａ）を穿設し、第２ケース（４）の上側に嵌着した第１ケース（２）と、
天井面（４ｅ）の上側に、該天井面（４ｅ）の下側に通じる上側開口部（４ｃ）を形成し、かつ前記天井面（４ｅ）の下側に、前記可動盤（８）及び基板（１１）を載設した極盤（１０）を嵌入した第２ケース（４）と、
前記上側開口部（４ｃ）の外壁に形成した軸部（４ａ）を、前記ノブ（１）の軸穴（１ｃ）に軸合して該軸部（４ａ）を中心として回動する該ノブ（１）と、でなることを特徴とする回動スイッチの構造。
【請求項２】
前記請求項１の発明において、
前記第２ケース（４）は、天井面（４ｅ）から上側に、上側開口部（４ｃ）を形成し、
該上側開口部（４ｃ）は、前記ノブ（１）に連結されてノブ（１）と共に回動する回動体（３）、中央部を回動自在に前記第２ケース（４）に軸支し、一端部を前記回動体（３）に係合し、かつ他端部に前記可動盤（８）を係合した揺動部材（７）、及び節度部材（３ａ），（５），（６）を収納したことを特徴とする回動スイッチの構造。
【請求項３】
前記請求項２の発明において、
前記回動体（３）は、連結ピン（３ｃ）を有し該連結ピン（３ｃ）により前記揺動部材（７）と連結したことを特徴とする回動スイッチの構造。
【請求項４】
前記請求項３の発明において、
前記第２ケース（４）は、上側開口部（４ｃ）内と、前記可動盤（８）を配設する収納部（４ｇ）とに通じる貫通孔（４ｈ）を穿設し、
前記揺動部材（７）は、該貫通孔（４ｈ）の上側に形成した半円形の軸支部（４ｉ）に、揺動軸（７ｃ）を軸支したことを特徴とする回動スイッチの構造。
【発明の詳細な説明】
【０００１】
【発明の属する技術分野】
本発明は、例えばドラム型の回動ノブを備え、防水性に富んだ回動スイッチの構造に関する。
【０００２】
【従来の技術】
従来から、この種の技術としては、例えば実開平４−１０５５０３号公報に開示された技術がある。この従来の技術のノブは、ボリュウムまたは回動スイッチのドラム型の回動操作体でなる。該ノブは、揺動基盤と固定板とで回動自在に挟持し、かつ該ノブをケースの開口部に配設している。
【０００３】
【発明が解決しようとする課題】
しかしながら、前述した従来のドラム型の回動ノブを有するボリュウムまたは回動スイッチは、回動ノブに水がかかると、該回動ノブとケースとの隙間からケース内に浸入する。ケース内に浸入した水は、ケースの内壁や摺動基板を伝わり下方に流れ落ち、接点不良等を起こすという問題点がある。
【０００４】
本発明は、ドラム型の回動ノブを備えた回動スイッチやボリュウムにおいて、該回動ノブから浸入した水がスイッチの接点等に流れることを阻止することを目的とする。
【０００５】
【課題を解決するための手段】
本発明の請求項１の発明は、前述した従来の技術の問題点を解消すべく発明したものであり、ノブの操作面を上面から突出した状態に配設するノブ設置孔を穿設し、第２ケースの上側に嵌着した第１ケースと、天井面の上側に、該天井面の下側に通じる上側開口部を形成し、かつ前記天井面の下側に、前記可動盤及び基板を載設した極盤を嵌入した第２ケースと、前記上側開口部の外壁に形成した軸部を、前記ノブの軸穴に軸合して該軸部を中心として回動する該ノブと、でなる。
【０００６】
また、請求項２の発明は、前記請求項１の発明において、前記第２ケースは、天井面から上側に、上側開口部を形成し、該上側開口部は、前記ノブに連結されてノブと共に回動する回動体、中央部を回動自在に前記第２ケースに軸支し、一端部を前記回動体に係合し、かつ他端部に前記可動盤を係合した揺動部材、及び節度部材を収納したことでなる。
【０００７】
また、請求項３の発明は、前記請求項２の発明において、前記回動体は、連結ピンを有し該連結ピンにより前記揺動部材と連結したことでなる。
【０００８】
また、請求項４の発明は、前記請求項３の発明において、前記第２ケースが、上側開口部内と、前記可動盤を配設する収納部とに通じる貫通孔を穿設し、前記揺動部材が、該貫通孔の上側に形成した半円形の軸支部に、揺動軸を軸支したことでなる。
【０００９】
【発明の実施の形態】
まず、図１、図２、及び図３に基づき本発明の実施形態を詳述する。
１は、第２ケース４の軸部４ａを中心として第２ケース４に回動自在に軸支したロータリースイッチ、シーソスイッチ、又は回動ボリュウムのノブである。該ノブ１は、例えば自動車の前照灯の光軸調整スイッチ等に使用される。
【００１０】
該ノブ１は、図２に示すように略円弧状の操作体で、外周面全体を略歯車状に形成し、その一部にマーク１ａを付記している。該ノブ１は、図３に示すように上側開口部４ｅの外壁に形成した軸部４ａに軸合する軸穴１ｃを両側面に穿設している。該ノブ１は、図２に示すように内面中央に前記回動体３の突棒３ａが嵌着する盲孔１ｂを形成している。
【００１１】
前記ノブ１は、図３に示すように左右側面に肩部１ｅを形成し、該肩部１ｅの上側に第１ケース２のノブ設置孔２ａの縁を合致させ、該肩部１ｅの下側に第２ケース４の上側開口部４ｃを被せるように配設している。
【００１２】
２は、ノブ１の操作面１ｄの一部を突出した状態に配設するノブ設置孔２ａ、及び銘板２ｂを有する第１ケースである。該第１ケース２は、ノブ１を軸支した第２ケース４に、上から被せるようにして、該第２ケース４に嵌着する。該第１ケース２は、両側面の下部に、第２ケース４の爪４ｂに係合する係合穴２ｃと、ノブ設置孔２ａとノブ１との隙間から浸入した水滴を排出する排出口２ｄと、を形成している。
【００１３】
ノブ設置孔２ａは、ノブ１より小さく形成し、ノブ１は、ケース２の下面から挿入して配設する。銘板２ｂは、例えば、発光体９の光が透過する半透明体でなり、その表面にスイッチの機能を表示するマークやポジションを付記している。排出口２ｄは、第２ケース４の天井面４ｃと同一平面上に穿設している。
【００１４】
前記回動体３は、前記突棒３ａを盲孔１ｂに嵌入することで、ノブ１と一体に回動する。該回動体３は、上端部に前記突棒３ａ、下端部左側に歯車状の節度溝３ｂ、下端部右側に半円状の摺接部３ｂを形成し、該摺接部３ｄの近傍の側面に連結ピン３ｃを形成している。
【００１５】
前記節度溝３ｂには、第２ケース４の盲孔４ｄに挿設した節度ばね５に付勢された節度ボール６が圧接している。節度部材は、該節度ボール６と節度ばね５と、節度溝３ｂとでなる。該節度溝３ｂは、ノブ１のポジション数と同数の溝でなる。前記連結ピン３ｃは、可動盤８を直接移動させる揺動部材７の二股部７ａに嵌入している。
【００１６】
第２ケース４は、天井面４ｅの上側に、回動体３及び揺動部材７を挿設するための上側開口部４ｃと、発光体９の光を銘板２ｂに導く筒状のガイド４ｆとを突出形成している。該第２ケース４は、天井面４ｅの下側に可動盤８を直線移動自在に配設する収納部４ｇを形成している。該第２ケース４は、極盤１０に載設した基板１１、及び可動盤８を覆うようにして前記極盤１０に嵌合させる。
【００１７】
前記軸部４ａは、上側開口部４ｃの外壁に突出形成して、ノブ１の軸穴１ｃを該軸部４ａに軸合すると、上側開口部４ｃがノブ１で閉塞した状態になる。前記上側開口部４ｃと、収納部４ｇとは、揺動部材７の操作杆７ｂを挿入する貫通孔４ｈで連通している。上側開口部４ｃ内には、前記盲孔４ｄと、揺動部材７の揺動軸７ｃを回動自在に軸支する半円状の軸支部４ｉと、を形成している。
【００１８】
揺動部材７は、揺動軸７ｃを上側開口部４ｃ内の軸支部４ｉに係合し、上端部の二股部７ａに連結ピン３ｃを係合し、かつ下端部を可動盤８に係合している。該揺動部材７は、ノブ１及び回動体３の回転運動を、可動盤８の直線運動に変換させる部材である。該揺動部材７は、ノブ１を回動操作すると、揺動軸７ｃを中心に揺動する。該揺動部材７は、上側開口部４ｃ内の貫通孔４ｈに操作杆７ｂを挿入するだけで揺動部材７の貫通孔４ｈに案内されて下降し、揺動軸７ｃが前記軸支部４ｉに係合される。
【００１９】
可動盤８は、下面に接点ばね１２を介して接点板１３を係止している。極盤１０は、上面に基板１１を固着し、下面に該基板１１に半田付けした端子１４を内設したコネクタ部１０ａを形成している。
【００２０】
本発明の実施形態は、以上のような構成であり、その作用を詳述する。
例えば、ノブ１の操作面１ｄや、第１ケース２の上面に雨などの水滴がかかったとする。該水滴は、ノブ設置孔２ａとノブ１との隙間からノブ１の外面を伝わって第１ケース２内に浸入する。該水滴は、ノブ１の外面からその下方にある上側開口部４ｃの外壁に伝わり第２ケース４の天井面４ｅに流れる。
【００２１】
天井面４ｅ上の水滴は、排出口２ｄから第１ケース２及び第２ケース４の外側に流れる。これにより、水滴は、基板１１上に流れることがなく、水による接点不良が惹起することがない。
【００２２】
【発明の効果】
本発明は、以上説明したように構成したので、次のような効果がある。
本発明の請求項１の発明は、ノブの操作面を上面から突出した状態に配設するノブ設置孔を穿設し、第２ケースの上側に嵌着した第１ケースと、天井面の上側に、該天井面の下側に通じる上側開口部を形成し、かつ前記天井面の下側に、前記可動盤及び基板を載設した極盤を嵌入した第２ケースと、前記上側開口部の外壁に形成した軸部を、前記ノブの軸穴に軸合して該軸部を中心として回動する該ノブと、でなることで、第１ケース内に浸入した水滴を第１ケース及び第２ケースの外に排出し、その水滴が可動盤、基板及び極盤の盤面に付着して接点不良を惹起することを防止する。
【００２３】
本発明の請求項２の発明は、前記請求項１の発明において、前記第２ケースは、天井面から上側に、上側開口部を形成し、該上側開口部は、前記ノブに連結されてノブと共に回動する回動体、中央部を回動自在に前記第２ケースに軸支し、一端部を前記回動体に係合し、かつ他端部に前記可動盤係合した揺動部材、及び節度部材を収納したことで、ノブに付着した水滴が該ノブの下側に配置した回動体、揺動部材及び節度部材に流れて濡れることを防止する。
【００２４】
本発明の請求項３の発明は、前記請求項２の発明において、前記回動体は、連結ピンを有し該連結ピンにより前記揺動部材と連結したことで、ノブに付着した水滴が該ノブの下側に設置した揺動部材を伝わって可動盤に流れることを防止する。
【００２５】
本発明の請求項４の発明は、前記請求項３の発明において、前記第２ケースが、上側開口部内と、前記可動盤を配設する収納部とに通じる貫通孔を穿設し、前記揺動部材が、該貫通孔の上側に形成した半円形の軸支部に、揺動軸を軸支したことで、前記揺動部材を上側開口部内に挿入するだけで配設でき、組付け作業が容易である。
【図面の簡単な説明】
【図１】本発明の実施形態を示す図面で、平面図図である。
【図２】図１の矢視Ｘ−Ｘ線方向断面図である。
【図３】図１のＹ−Ｙ線方向断面図である。
【符号の説明】
１  ノブ
１ｃ  軸穴
１ｄ  操作面
２  第１ケース
２ａ  ノブ設置孔
３  回動体
３ｃ  連結ピン
４  第２ケース
４ａ  軸部
４ｃ  上側開口部
４ｅ  天井面
４ｇ  収納部
４ｈ  貫通孔
４ｉ  軸支部
７  揺動部材
７ｃ  揺動軸
８  可動盤
１０  極盤
１１  基板
【図１】
0003609561.tif 000002
【図２】
0003609561.tif 000003
【図３】
0003609561.tif 000004